(57)【要約】【課題】  本発明は魚釣り情報認証システムに関し、釣船から無線で送信される釣り情報の中で、他の釣船からの釣り情報と混信することなく自船からの釣り情報を正確に捕らえることのできる魚釣り情報認証システムを提供することを目的とする。【解決手段】  個体認識用の認識コードを備え、釣船に装備された情報収集手段で得た釣り情報を取り込んでこれに前記認識コードを重畳して送信する釣船側の送信機と、当該送信機から送信された釣り情報を受信する受信機とからなり、受信機は、送信機から送信された電波に重畳された認識コードを記憶保持する認識コード記憶手段と、当該認識コード記憶手段に記憶保持した認識コードを表示する表示器と、表示器に表示された認識コードから自船の認識コードを選択，決定する外部操作手段とを備え、受信機は、送信機から送信された釣り情報のうち、外部操作手段で選択，決定した認識コードが重畳された釣り情報のみを個別認識して取り込むことを特徴とする。【選択図】    図４
2005253360.tif 000002
【特許請求の範囲】
【請求項１】
個体認識用の認識コードを備え、釣船に装備された情報収集手段で得た釣り情報を取り込んでこれに前記認識コードを重畳して送信する釣船側の送信機と、
当該送信機から送信された釣り情報を受信する受信機とからなり、
受信機は、送信機から送信された電波に重畳された認識コードを記憶保持する認識コード記憶手段と、当該認識コード記憶手段に記憶保持した認識コードを表示する表示器と、表示器に表示された認識コードから自船の認識コードを選択，決定する外部操作手段とを備え、
受信機は、送信機から送信された釣り情報のうち、外部操作手段で選択，決定した認識コードが重畳された釣り情報のみを個別認識して取り込むことを特徴とする魚釣り情報認証システム。
【請求項２】
受信機は、表示器を備えた魚釣用リールで、リール本体に装着した制御手段は、取り込んだ釣り情報を当該表示器に表示させることを特徴とする請求項１に記載の魚釣り情報認証システム。
【発明の詳細な説明】
【技術分野】
【０００１】
本発明は、釣船に装備された送信機側から送信される魚群探知機やＧＰＳ（全地球測位システム）等で情報収集した釣り情報を、正確に得られるようにした魚釣り情報認証システムに関する。
【背景技術】
【０００２】
昨今、釣船には魚釣りに関する情報を収集可能な魚群探知機やＧＰＳ等の情報収集手段が艤装されており、船頭はこれらの情報収集手段で得られた釣り情報を釣人に口頭で伝えていた。
しかし、釣り情報は刻々と変化し、釣り情報の変化を釣人が迅速に把握することができなかった。
【０００３】
そこで、釣り情報を釣人にタイムリーに提供すべく、特許文献１には、釣船側の送信機から無線で送信された情報収集手段の釣り情報をリール本体に装着した受信機で受信して、これを表示器に表示させる魚釣用リールが提案されている。
而して、この魚釣用リールによれば、釣人は魚群探知機やＧＰＳ等の情報収集手段で得られた魚の棚位置やＧＰＳで得られた現在位置等を、表示器を介して迅速に把握することが可能となる。
【特許文献１】特開２００３−１１１号公報
【発明の開示】
【発明が解決しようとする課題】
【０００４】
しかし、このように釣り情報を釣船側から無線で魚釣用リールに送信する場合、同一周波数の送信機を備えた他の釣船の無線送信エリア内に自船が存在すると、電波が混信して魚釣用リール側ではどちらの釣り情報が自船の情報か認識できず、誤って他の釣船から送信された釣り情報を表示器に表示してしまうことがあった。
本発明は斯かる実情に鑑み案出されたもので、釣船から無線で送信される釣り情報の中で、他の釣船からの釣り情報と混信することなく自船からの釣り情報を正確に捕らえることのできる魚釣り情報認証システムを提供することを目的とする。
【課題を解決するための手段】
【０００５】
斯かる目的を達成するため、請求項１に係る魚釣り情報認証システムは、個体認識用の認識コードを備え、釣船に装備された情報収集手段で得た釣り情報を取り込んでこれに前記認識コードを重畳して送信する釣船側の送信機と、当該送信機から送信された釣り情報を受信する受信機とからなり、受信機は、送信機から送信された電波に重畳された認識コードを記憶保持する認識コード記憶手段と、当該認識コード記憶手段に記憶保持した認識コードを表示する表示器と、表示器に表示された認識コードから自船の認識コードを選択，決定する外部操作手段とを備え、受信機は、送信機から送信された釣り情報のうち、外部操作手段で選択，決定した認識コードが重畳された釣り情報のみを個別認識して取り込むことを特徴とする。
【０００６】
そして、請求項２に係る発明は、請求項１に記載の魚釣り情報認証システムに於て、受信機は、表示器を備えた魚釣用リールで、リール本体に装着した制御手段は、取り込んだ釣り情報を当該表示器に表示させることを特徴とする。
【発明の効果】
【０００７】
請求項１に係る発明によれば、受信機で受信するあらゆる送信機（釣船）の電波のうち、釣人が選択，決定した自船の認識コードを重畳した自船の電波のみを個別認識して取り込み、他の釣船からの電波をキャンセルするので、他の釣船の無線送信エリア内に自船が存在しても、電波が混信することなく必要とする自船からの釣り情報のみを正確に捕らえることが可能となった。
【０００８】
そして、電波の混信防止を図る際に、受信機の表示部に送信機（釣船）毎の認識コードを表示してその中から選択，決定する方式のため、釣人に非常に解り易く、また、送信機を設置する船主側も自船の名称等が表示されるので、安心して釣り情報を提供することが可能となる。
また、請求項２に係る発明にあっても、魚釣用リールで受信するあらゆる送信機（釣船）の電波のうち、釣人が選択，決定した自船の認識コードを重畳した自船の電波のみを個別認識して取り込み、他の釣船からの電波をキャンセルするので、他の釣船の無線送信エリア内に自船が存在しても、電波が混信することなく必要とする自船からの釣り情報のみを正確に捕らえることが可能となった。
【０００９】
そして、電波の混信防止を図る際に、魚釣用リールの表示部に送信機（釣船）毎の認識コードを表示してその中から選択，決定する方式のため、釣人に非常に解り易く、送信機を設置する船主側も自船の名称等が表示されるので、安心して釣り情報を提供することが可能となる。
【発明を実施するための最良の形態】
【００１０】
以下、本発明の実施形態を図面に基づいて詳細に説明する。
図１は請求項１及び請求項２の一実施形態に係る魚釣り情報認証システムを備えた魚釣用電動リール（以下、「電動リール」という）を示し、図１に於て、１はリール本体３のフレーム、５，７は当該フレーム１の左右に取り付く側板で、両側板５，７間にスプール軸が支持部に支持され、当該スプール軸にスプール９が回転可能に支持されている。
【００１１】
スプール９は、スプールモータ（図２中、符号１１）の駆動やハンドル１３の巻取り操作で回転して釣糸が巻回されるようになっており、スプールモータ１１はスプール９前方のフレーム１に一体成形されたモータケース内に収納されている。
そして、ハンドル側の側板７の上部前方には、特許第２９７７９７８号公報で開示された電動リールと同様、スプールモータ１１のモータ出力を調節するレバー形状のモータ出力調節体（以下、「パワーレバー」という）１５がハンドル１３と同方向へ回転操作可能に取り付けられており、当該パワーレバー１５の操作で、制御ボックス１７内に装着した図２のマイクロコンピュータ（制御手段）１９が、モータ駆動回路２１を介してスプールモータ１１のモータ出力をモータ停止状態から最大値（０〜１００％）まで連続的に増減して、スプール９の巻取り速度を制御するようになっている。
【００１２】
また、図１に示すようにスプール９後方の側板５，７間には、側板７内に装着したクラッチ機構を操作するクラッチレバー２３が下方向へ押圧操作可能に取り付けられており、当該クラッチレバー２３の押圧操作で、クラッチ機構がクラッチＯＮからクラッチＯＦＦに切り換わるようになっている。
そして、このクラッチＯＦＦ状態でハンドル１３を巻取り方向へ回転させると、図示しない周知の復帰機構を介してクラッチ機構がクラッチＯＮ状態に復帰するように構成されており、このクラッチレバー２３のクラッチＯＮ／ＯＦＦの切換えでスプール９が釣糸巻取り状態と釣糸繰出し状態とに切り換わって、スプール９へのスプールモータ１１やハンドル１３の動力が伝達／遮断されるようになっている。
【００１３】
一方、図１中、２５はスプール９の回転数とその回転方向を検出する回転検出手段で、当該回転検出手段２５は、フレーム１に装着された一対のリードスイッチ２７と、これに対向してスプール９の一端側周縁部に固着された複数のマグネット２９とで構成されており、リードスイッチ２７はマイクロコンピュータ１９のＣＰＵに接続されている。
而して、ＣＰＵは、後述する「実釣モード」と「釣り情報表示モード」に於て、特開平５−１０３５６７号公報で開示された糸長計測プログラムと同様、リードスイッチ２７から出力されるスプール９の正転，逆転の判定信号を取り込んで釣糸の繰出しか巻取りかを判定すると共に、リードスイッチ２７から取り込むスプール９の回転パルス信号をカウントして、この計数値を基にマイクロコンピュータ１９のＲＯＭに記憶された糸長計算式を演算実行するようになっている。
【００１４】
そして、図２に示すようにＣＰＵは、表示駆動回路３１を介してその演算結果（糸長）を、制御ボックス１７の操作パネル３３上に設けた表示器３５に表示させるが、表示器３５はドットマトリックス方式のカラーＴＦＴ液晶ディスプレイで構成されている。そして、図３に示すように「実釣モード」に於て、表示器３５の中央の上カラ表示部３７と棚カラ表示部３９に、夫々、水面からの仕掛けの水深と棚からの仕掛けの距離が上下２段に並列して大きく表示され、表示器３５の左下のモード表示部４０に現在のモード名「実釣」が表示されるようになっている。
【００１５】
尚、「実釣モード」とは、実釣時の釣糸の繰出しやハンドル１３，パワーレバー１５の操作による釣糸の巻取りに伴い、糸長が計測されて図３の如く計測値が表示器３５に表示される通常の魚釣りモードである。
ここで、棚位置の設定について説明すると、上述したようにＣＰＵは、「実釣モード」に於て、リードスイッチ２７からの回転パルス信号を基に糸長を計測して上カラ表示部３７に表示させるが、釣りの開始時に釣糸が竿先から水面まで繰り出された処で、釣人が操作パネル３３上のリセットスイッチ４１を操作すると、上カラ表示部３７の表示値が「０．０」にリセットされるようになっている。
【００１６】
この後、釣人が釣糸を繰り出していくと、ＣＰＵで演算，計測された糸長が上カラ表示部３７に表示され、釣糸が例えば９５．５ｍ繰り出された処で釣人が操作パネル３３上の棚メモスイッチ４３を操作すると、棚カラ表示部３９に「０．０」が表示されて棚位置が設定され、以後、図３に示すように棚位置から例えば１５ｍの釣糸の巻取りに伴う仕掛けの距離と水面からの繰出し量（水深）が、夫々、棚カラ表示部３９と上カラ表示部３７に表示されるようになっている。
【００１７】
図１に示すように上記リセットスイッチ４１と棚メモスイッチ４３は、表示器３５に隣接して操作パネル３３上に設けられているが、操作パネル３３上には更にモードスイッチ４５が表示器３５に隣接して設けられており、これらのスイッチ４１，４３，４５はマイクロコンピュータ１９に接続されている。
そして、釣人が給電コードを用いて電動リール４７をバッテリに接続して通電すると、図４に示すようにマイクロコンピュータ１９はこの初期通電状態で「認識コード入力モード」となり、この「認識コード入力モード」でモードスイッチ４５を操作すると、マイクロコンピュータ１９は「認識コード表示，選択モード」に切り換わる。そして、後述するようにこの「認識コード表示，選択モード」で認識コードを選択，決定した後、更にモードスイッチ４５を操作すると、マイクロコンピュータ１９は「実釣モード」と「魚釣り情報表示モード」とに交互に切り換わるようになっている。
【００１８】
次に、上記「認識コード入力モード」と「認識コード表示，選択モード」について説明すると、既述したように、昨今、多くの釣船には釣り情報を収集する魚群探知機（以下、「魚探」という）やＧＰＳ等の情報収集手段が艤装されている。
そこで、図２に示すように本実施形態に係る魚釣り情報認証システム４９に於て、釣人が乗船する釣船（以下、「自船」という）５１を始め、その他の釣船には、魚探５３と、ＧＰＳ衛星５５からの電波を受信するＧＰＳ受信機５７が備えられている。そして、ＧＰＳ受信機５７が魚探５３に接続されてＧＰＳ情報が魚探５３上で確認できるようになっているが、更に魚探５３は送信機５９に接続されている。
【００１９】
そして、送信機５９内にはマイクロコンピュータ６１が組み込まれており、送信機５９は、マイクロコンピュータ６１で処理した魚探５３やＧＰＳ衛星５５の釣り情報を無線で送信するが、自船５１を始め、港に停泊中または航行中のその他の釣船もエンジン駆動状態で情報送信状態となって、魚探やＧＰＳ衛星の釣り情報を送信機から送信するようになっている。
【００２０】
一方、図２に示すように電動リール４７内には、自船５１や他の釣船から送信された電波を受信する受信部６３が装着されているが、既述したように自船５１の送信機５９と同一周波数の送信機を備えた他の釣船の無線送信エリア内に自船５１が存在してしまうと、混信して電動リール４７側ではどの釣り情報が自船５１からの情報か認識できず、誤って他の釣船から送信された釣り情報を受信してしまう虞がある。
【００２１】
このため、本実施形態では、斯かる混信を防止して自船５１からの釣り情報を正確に受信可能とするため、以下の如き特徴を有している。
即ち、自船５１や他の釣船は、夫々、個体認識用の認識コード（例えば、船名や記号等）を備え、魚探やＧＰＳ等で得た釣り情報を送信機で送信するに当たり、個々の認識コードを釣り情報に重畳して送信するようになっている。
【００２２】
しかし、送信機は工場で一元的に多量生産され、どの送信機がどの釣船に装備されるかは工場出荷段階では解らない。
そこで、送信機に釣船の認識コードを入力させる必要があり、本実施形態では、釣船への取付け時に、例えば赤外線送信機等の入力端末で送信機に釣船固有の認識コードを入力して送信機と釣船の一対化を行う。而して、このように送信機と一対化が行われた自船５１や他の釣船は、エンジン駆動状態で釣り情報を送信機５９から送信するに当たり、個々の認識コードを重畳して釣り情報を送信することが可能となる。
【００２３】
従って、例えば数隻の釣船がエンジン駆動状態で港に停泊しているときにぱ、個々の釣船の送信機から認識コードを重畳した釣り情報が送信されている。
一方、既述したように電動リール４７のマイクロコンピュータ１９は、初期通電状態で「認識コード入力モード」に設定されるが、上述の如く数隻の釣船の送信機から認識コードを重畳した釣り情報が送信されている状況で電動リール４７を初期通電状態にすると、マイクロコンピュータ１９は、自船５１を始め他の釣船から送信されている電波から全ての送信機５９の認識コードを受信部６３で受信して、ＲＡＭ（認識コード記憶手段）に記憶させるようになっている。
【００２４】
尚、図示しないがこの「認識コード入力モード」では、表示器３５のモード表示部４０のみに「入力」の文字が表示されて、マイクロコンピュータ１９が「認識コード入力モード」であることを釣人に知らせるようになっている。
この後、モードスイッチ４５の操作でマイクロコンピュータ１９を図４の如く「認識コード入力モード」から「認識コード表示，選択モード」に切り換えると、図５に示すようにマイクロコンピュータ１９は、ＲＡＭに記憶させた全ての釣船（送信機）の認識コード（本実施形態では、ボウメンマル，カズヨシマル，Ｍ１２１３４５の３つの認識コード）を、表示器３５中央の認識コード表示部６５に上下複数段に並列して表示させると共に、モード表示部４０に現在のモード名「コード表示，選択」を表示させるようになっている。
【００２５】
そして、この「認識コード表示，選択モード」に於て、既述したパワーレバー１５とリセットスイッチ４１は、図５の如く表示器３５に表示された複数の認識コードから自船５１の認識コードを選択，決定する外部操作手段として機能し、パワーレバー１５の回転操作で、図６に示すように表示器３５に表示されている認識コードにかかるスクロールバー６７が順次上下に移動するようになっている。そして、例えばこれから乗船する自船５１の認識コードが「ボウメンマル」であるとき、図６に示すようにパワーレバー１５の操作でスクロールバー６７を「ボウメンマル」に合わせて（選択して）リセットスイッチ４１をＯＮ操作すると、マイクロコンピュータ１９のＲＡＭに自船５１の認識コード「ボウメンマル」が設定，記憶され、これにより、釣り情報を送信する自船５１（操作５９）と受信する側の電動リール４７との「釣り情報認証システム」が確立される。
【００２６】
以後、マイクロコンピュータ１９は、受信部６３で受信するあらゆる送信機からの電波（認識コードが重畳された釣り情報）のうち、上述の如く設定，記憶された認識コードが重畳された電波のみを個別認識して取り込むようになっている。
そして、斯様に認識コードを設定，記憶した後、モードスイッチ４５の操作でマイクロコンピュータ１９を図４の如く「認識コード表示，選択モード」から「実釣モード」に切り換ると、既述したように実釣時の釣糸の繰出しやハンドル１３，パワーレバー１５の操作による釣糸の巻取りに伴い、糸長が計測されて図３の如く計測値が表示器３５に表示される。
【００２７】
また、更にモードスイッチ４５を操作して、図４の如くマイクロコンピュータ１９を「実釣モード」から「魚釣り情報表示モード」に切り換えると、図７に示すようにＣＰＵは、表示駆動回路３１を介して表示器３５の中央を魚探情報表示部６９として、当該魚探情報表示部６９上に上述の如く個別認識して取り込んだ自船５１からの魚探情報を表示させると共に、モード表示部４０に現在のモード名「情報表示」を表示させるようになっている。
【００２８】
而して、魚探情報表示部６９には、釣人が乗っている自船５１の位置がポインタ７１で表示され、更にポインタ７３，７５によって糸長計測で得られた仕掛けの位置と魚探５３で得られた魚群の位置が表示されると共に、地形７７や設定された棚位置７９が実線や破線で表示され、更にまた、それらの水深がポインタ７３，７５と棚位置７９の近接に表示されるようになっている。
【００２９】
更に図７に示すようにＣＰＵは、上述した魚探情報表示部６９での表示と同時に、表示器３５の右側上部を新たに上カラ表示部３７-1と棚カラ表示部３９-1として、これらに仕掛けの水面からの水深と仕掛けの棚からの距離を上下２段に小さく表示させると共に、表示器３５の左側上部をＧＰＳ情報表示部８１として、当該ＧＰＳ情報表示部８１に、個別認識されたＧＰＳ情報として日付と時刻，自船５１の現在位置（経度と緯度）を表示させるようになっている。
【００３０】
そして、釣人がモードスイッチ４５を操作して「魚釣り情報表示モード」から「実釣モード」に切り換えると、マイクロコンピュータ１９は表示器３５を図３の表示状態に切り換えるようになっている。
尚、例えば自船５１にＧＰＳが装備されていない場合には、上記ＧＰＳ情報表示部８１に情報が表示されない構造となっている。
【００３１】
また、ＲＡＭには新たな認識コードが順次記憶され、後日の実釣時に上述の如き「認識コード入力モード」で、新たな釣船の認識コードがＲＡＭに記憶され、後日の実釣時に乗り込む釣船が変わった場合には、上述の如き操作で、新たな自船の認識コードをＲＡＭに設定，記憶させることができるようになっている。
本実施形態はこのように構成されており、自船５１に乗船した釣人は所定のポイントに案内されて釣りを行うこととなるが、実釣に当たり、数隻の釣船の送信機から認識コードを重畳した釣り情報が送信されている状況で電動リール４７を初期通電状態にすれば、マイクロコンピュータ１９は「認識コード入力モード」になって、自船５１を始め他の釣船から送信されている電波から全ての送信機５９の認識コードを受信部６３で受信して、ＲＡＭ（認識コード記憶手段）に記憶させる。
【００３２】
この後、モードスイッチ４５を操作してマイクロコンピュータ１９を「認識コード表示，選択モード」に切り換えると、図５に示すようにマイクロコンピュータ１９は、ＲＡＭに記憶させた全ての釣船の認識コードを、表示器３５中央の認識コード表示部６５に上下複数段に並列して表示させるので、釣人は、パワーレバー１５の回転操作でスクロールバー６７を自船５１の認識コード「ボウメンマル」に合わせてリセットスイッチ４１をＯＮ操作すれば、マイクロコンピュータ１９のＲＡＭに自船５１の認識コード「ボウメンマル」が設定，記憶され、これにより、釣り情報を送信する自船５１（操作５９）と受信する側の電動リール４７との「釣り情報認証システム」が確立される。
【００３３】
以後、マイクロコンピュータ１９は、受信部６３で受信するあらゆる送信機からの電波（認識コードが重畳された釣り情報）のうち、上述の如く設定，記憶された認識コードが重畳された電波のみを個別認識して取り込むこととなる。
そして、斯様に認識コードを設定，記憶した後、モードスイッチ４５の操作でマイクロコンピュータ１９を「実釣モード」に切り換ると、図３に示すように釣糸の繰出しやハンドル１３，パワーレバー１５の操作による釣糸の巻取りに伴い、糸長が計測されて図３の如く計測値が表示されるが、更にモードスイッチ４５を操作して、図４の如くマイクロコンピュータ１９を「実釣モード」から「魚釣り情報表示モード」に切り換えると、表示器３５が図７の表示状態に切り換わって、ＣＰＵは、個別認識した魚探５３の釣り情報を基に、表示器３５の魚探情報表示部６９にポインタ７１で自船位置を、ポインタ７３，７５で仕掛けの位置と魚群の位置を表示し、更に、設定された棚位置７９破線で表示させると共に、それらの水深を各ポインタ７３，７５と棚位置７９の近接に表示し、魚探５３で得られた海底の地形７７を表示する。
【００３４】
更にＣＰＵは、斯かる魚探情報表示部６９での表示と同時に、表示器３５の右側上部を新たに上カラ表示部３７-1と棚カラ表示部３９-1として、これらに仕掛けの水面からの水深と仕掛けの棚からの距離を上下２段に小さく表示し、表示器３５の左側上部をＧＰＳ情報表示部８１として、当該ＧＰＳ情報表示部８１に、受信部６３で個別認識されたＧＰＳ情報として日付と時刻，自船５１の現在位置を表示させる。
【００３５】
そして、釣人がモードスイッチ４５を操作して「魚釣り情報表示モード」から「実釣モード」に切り換えると、表示器３５は図３の表示状態に切り換わることとなる。
また、既述したようにＲＡＭには新たな認識コードが順次記憶できるようになっているから、後日の実釣時に上述の如き「認識コード入力モード」で、新たな釣船の認識コードがＲＡＭに記憶され、後日の実釣時に乗り込む釣船が変わった場合には、上述の如き操作で、新たな自船の認識コードがＲＡＭに設定，記憶されることとなる。
【００３６】
このように本実施形態に係る魚釣り情報認証システム４９は、電動リール４７の受信部６３で受信するあらゆる送信機（釣船）の電波のうち、釣人が選択，決定した自船５１の認識コードを重畳した自船５１の電波のみを個別認識して取り込み、他の釣船からの電波をキャンセルするので、他の釣船の無線送信エリア内に自船５１が存在しても、電波が混信することなく必要とする自船５１からの釣り情報のみを正確に捕らえることが可能となった。
【００３７】
そして、電波の混信防止を図る際に、釣人側の電動リール４７の表示部３５に釣船（送信機）毎の認識コードを表示してその中から選択，決定する方式のため、釣人に非常に解り易く、また、送信機を設置する船主側も自船の名称等が表示されるので、安心して釣り情報を提供することが可能となる。
【図面の簡単な説明】
【００３８】
【図１】請求項１及び請求項２の一実施形態に係る魚釣り情報認証システムを備えた電動リールの平面図である。
【図２】請求項１及び請求項２の一実施形態に係る魚釣り情報認証システムの制御ブロック図である。
【図３】実釣モードに於ける表示器の表示状態の説明図である。
【図４】マイクロコンピュータのモード変化を示すフローチャートである。
【図５】認識コード表示，選択モードに於ける表示器の表示状態の説明図である。
【図６】認識コード表示，選択モードに於ける表示器の表示状態の説明図である。
【図７】魚釣り情報表示モードに於ける表示器の表示状態の説明図である。
【符号の説明】
【００３９】
３  リール本体
９  スプール
１１  スプールモータ
１３  ハンドル
１５  パワーレバー
１９，６１  マイクロコンピュータ
２３  クラッチレバー
２５  回転検出手段
２７  リードスイッチ
３５  表示器
３７，３７-1  上カラ表示部
３９，３９-1  棚カラ表示部
４０  モード表示部
４１  リセットスイッチ
４３  棚メモスイッチ
４５  モードスイッチ
４７  電動リール
４９  魚釣り情報認証システム
５１  自船
５３  魚探
５５  ＧＰＳ衛星
５７  ＧＰＳ受信機
５９  送信機
６３  受信部
６５  認識コード表示部
６９  魚探情報表示部
８１  ＧＰＳ情報表示部
【図１】
2005253360.tif 000003
【図２】
2005253360.tif 000004
【図３】
2005253360.tif 000005
【図４】
2005253360.tif 000006
【図５】
2005253360.tif 000007
【図６】
2005253360.tif 000008
【図７】
2005253360.tif 000009